(57)【特許請求の範囲】
【請求項１】
給水時に上部が開放され、使用時に該上部が閉塞されるタンク本体部を有し、該タンク本体部内に導入された蒸気を水と直接接触させて冷却して復水させる復水用タンクであって、
前記タンク本体部の下部に、当該タンク本体部を所定角度傾斜状態で安定させる給水時支持部を設け、
前記給水時支持部は、前記タンク本体部の底壁と側壁間のコーナー部に凹陥させて形成した段差部の両側エッジで構成され、前記タンク本体部の傾斜状態下でこれら両側エッジが支持脚として機能するとともに、該タンク本体部を所定の角度に支持した状態での満水状態が規定水量となるように構成されていることを特徴とする復水用タンク。
【請求項２】
前記段差部を前記コーナー部の全周に亘って形成したことを特徴とする請求項１記載の復水用タンク。
【請求項３】
前記タンク本体部を透光性部材で構成し、その外面または内面に、水量調整用の目盛りを設けたことを特徴とする請求項１又は２記載の復水用タンク。
【請求項４】
前記タンク本体部は、少なくとも水を貯留するタンク容器とこれを囲繞するタンクカバーとを備えており、これらタンク容器と前記タンクカバーの少なくとも一方に、前記給水時支持部が設けられていることを特徴とする請求項１〜３のいずれかに記載の復水用タンク。
【請求項５】
請求項１〜４のいずれかに記載の復水用タンクを用いた蒸気レス炊飯器。
【発明の詳細な説明】
【技術分野】
【０００１】
本発明は、蒸気を水と直接接触させて冷却して復水させる復水用タンクと、この復水用タンクを蒸気発生口に連結した蒸気レス炊飯器に関する。
【背景技術】
【０００２】
従来より、蒸気を水と直接接触させて冷却して復水させる復水用タンクと、この復水用タンクを蒸気発生口に連結して、内釜内に収容した被加熱物から調理中に発生する蒸気を冷却水中に放散させることで復水するようにした炊飯器は知られている（例えば、特許文献１参照）。
【先行技術文献】
【特許文献】
【０００３】
【特許文献１】特開平１０−１９２１３４号公報（第１図）
【発明の概要】
【発明が解決しようとする課題】
【０００４】
このようなものにおいて、復水用タンクは、炊飯前に冷却水（水道水）が決められた水量収容され、炊飯器にセットされる。しかしながら、タンクに冷却水を入れる際、タンクに記載（刻印、印刷等）されている水位目盛りまで、水を直接水道の蛇口から入れていたため、タンクの目盛りに水量を合わせることが非常に困難であった。また、水位目盛が見難く水位を調整するのに苦労していた。キッチンや台所のやや暗い場所での水位合わせや、特に視力にやや弊害のある人には水位が見難く合わせ難かった。さらに、水は上方開放口から注ぎ入れるが、水位線はタンク側面に表示されており、側面と上方を両方見ながらの調整は作業し難かった。
【０００５】
本発明の技術的課題は、タンクへの冷却水収容時に冷却水の水量が規定の水量となるように簡単にしかも正確に計量できるようにすることにある。
【課題を解決するための手段】
【０００６】
本発明に係る復水用タンクは、給水時に上部が開放され、使用時に上部が閉塞されるタンク本体部を有し、タンク本体部内に導入された蒸気を水と直接接触させて冷却して復水させる復水用タンクであって、タンク本体部の下部に、当該タンク本体部を所定角度傾斜状態で安定させる給水時支持部を設け、給水時支持部は、タンク本体部の底壁と側壁間のコーナー部に凹陥させて形成した段差部の両側エッジで構成され、タンク本体部の傾斜状態下でこれら両側エッジが支持脚として機能するとともに、タンク本体部を所定の角度に支持した状態での満水状態が規定水量となるように構成されているものである。
【発明の効果】
【０００７】
本発明の復水用タンクによれば、タンク本体部の下部に、当該タンク本体部を所定角度傾斜状態で安定させる給水時支持部を設け、給水時支持部は、タンク本体部の底壁と側壁間のコーナー部に凹陥させて形成した段差部の両側エッジで構成され、タンク本体部の傾斜状態下でこれら両側エッジが支持脚として機能するとともに、タンク本体部を所定の角度に支持した状態での満水状態が規定水量となるように構成されているので、簡単に誤差なく正確に規定水量とすることができ、使い勝手が向上し、延いてはこの復水用タンクを用いた蒸気レス炊飯器の使い勝手も向上し、炊飯時に発生する蒸気を効率よく冷却して復水させることができる。
【図面の簡単な説明】
【０００８】
【図１】本発明の実施の形態１に係る蒸気レス炊飯器の炊飯時の蒸気の流れを示す概略構造図である。
【図２】本発明の実施の形態１に係る蒸気レス炊飯器と復水用タンクとの関係を蓋体を開けた状態で示す斜視図である。
【図３】本発明の実施の形態１に係る復水用タンクを示す分解斜視図である。
【図４】復水用タンクの比較例のもののタンク本体部への給水セット状態を示す斜視図である。
【図５】本発明の実施の形態１に係る復水用タンクのタンク容器を示す斜視図である。
【図６】本発明の実施の形態１に係る復水用タンクの給水セット状態（傾斜状態）を示す側面図である。
【図７】本発明の実施の形態１に係る復水用タンクの給水終了時の状態（傾斜状態）を示す側面図である。
【図８】本発明の実施の形態１に係る復水用タンクの給水完了状態（タンク垂直姿勢復帰状態）を示す側面図である。
【図９】本発明の実施の形態２に係る復水用タンクを示す側面図である。
【図１０】本発明の実施の形態３に係る復水用タンクを示す斜視図である。
【図１１】本発明の実施の形態３に係る復水用タンクの給水セット状態（傾斜状態）を示す側面図である。
【図１２】本発明の実施の形態４に係る復水用タンクを示す斜視図である。
【図１３】本発明の実施の形態５に係る復水用タンクを示す側面図である。
【図１４】本発明の実施の形態５に係る復水用タンクの給水セット状態（傾斜状態）を示す側面図である。
【図１５】本発明の実施の形態６に係る復水用タンクを示す側面図である。
【発明を実施するための形態】
【０００９】
実施の形態１．
以下、図示実施の形態により本発明を説明する。
図１は本発明の実施の形態１に係る蒸気レス炊飯器の炊飯時の蒸気の流れを示す概略構造図、図２はその蒸気レス炊飯器と復水用タンクとの関係を蓋体を開けた状態で示す斜視図、図３はその復水用タンクを示す分解斜視図である。
【００１０】
本実施の形態の蒸気レス炊飯器は、図１及び図２に示されているように、炊飯器本体１の内部に内鍋２が収容され、炊飯器本体１の前部に復水用タンク４が着脱自在に取り付けられている。炊飯中に発生する蒸気１０は、蒸気通路のカートリッジ３を介して、水９が入った復水用タンク４へ導かれ、復水用タンク４内の水９中に放出され、冷却されて復水され、これにより蒸気レスとなる。
【００１１】
復水用タンク４は、図３のように水９を溜めるタンク容器５とタンク容器５の外面に着脱自在に取付けられて当該復水用タンク４の外観部をなすタンクカバー６とを有するタンク本体部３０と、タンク容器５の上部を開閉しカートリッジ３からの蒸気１０を水９内に導く連通管７ａを有するタンク蓋７とを備えている。
【００１２】
図４は復水用タンクのタンク本体部の給水時支持部が、垂直姿勢でのみこれを支持する座面１箇所のみである比較例を示している。この比較例の復水用タンクは、タンク容器５の側壁面に水位を指示する水位目盛８が形成されており、上限水位目盛８ａと下限水位目盛８ｂになっている。
【００１３】
この比較例の復水用タンクにおいては、タンク容器５内に水を上方の蛇口から直接供給し、水位が上限水位目盛８ａと下限水位目盛８ｂとの間にくるように水量を合わせることで、規定水量となるよう調整する。
【００１４】
この比較例のように水を直接水道の蛇口から入れながら、タンクの目盛りに水量を合わせるものにあっては、給水時に水面が波立つ、又は水面の泡立ちなどの発生により、タンクの目盛りに水量を合わせることが非常に困難である。また、水位目盛が見難く水位を調整しづらい。さらに、水は上方開放口から注ぎ入れるが、水位線はタンク側面に表示されているので、側面と上方を両方を見ながらの調整となり作業しづらい。
【００１５】
図５は本実施の形態の復水用タンク４のタンク容器５Ａの詳細を示し、図６乃至図８はその給水セットから給水完了までを示している。タンク容器５Ａは、その下部に、当該タンク容器５Ａを垂直姿勢で支持する座面となる底面１１ａ以外に、当該タンク容器５Ａを所定角度傾斜状態で安定させることのできる給水時支持部が設けられている。給水時支持部は、タンク容器５Ａの底壁と側壁間のコーナー部の外面に形成された平坦な斜面１１ｂで構成され、タンク容器５Ａの傾斜状態下、つまりタンク蓋７を取り外して上部を開放させ傾斜させた給水時に、平坦な斜面１１ｂが座面として機能し、この傾斜姿勢のまま満水状態にすることで、タンク容器５Ａ内の水が規定水量となるように構成されている。
【００１６】
このように、本実施の形態の復水用タンク４は、タンク容器５Ａを垂直姿勢で支持する座面となる底面１１ａ以外に、給水時にタンク容器５Ａを所定角度傾斜状態で安定させることのできる平坦な斜面１１ｂを設けている。したがって、水の計量は、まずタンク容器５Ａを垂直姿勢にして水をほぼ満水にし、次いで図６のように斜面１１ｂが座面となるようにタンク容器５Ａを傾けていき、余分な水を流しのシンク（図示せず）内に流す。この結果、図７のようにタンク容器５Ａ内の水は、タンク容器５Ａの上縁の最も低い位置になるまで流出する。その後、タンク容器５Ａを起こせば、図８のように水位が上限水位目盛８ａと下限水位目盛８ｂとの間にきて規定水量となり、規定水量となったことを水位目盛８にて視認することができる。このため、簡単に誤差なく正確に規定水量とすることができ、使い勝手が向上し、延いてはこの復水用タンク４を用いた蒸気レス炊飯器の使い勝手も向上し、炊飯時に発生する蒸気を効率よく冷却して復水させることができる。
【００１７】
実施の形態２．
図９は本発明の実施の形態２に係る復水用タンクを示す側面図であり、図中、前述の実施の形態１のものに相当する部分には同一符号を付してある。なお、炊飯器本体や蓋体や蒸気導管およびタンク蓋等の構成は前述の実施の形態１のものと同一構成となっているため説明を省略する。
【００１８】
本実施の形態の復水用タンクは、タンク容器５Ｂの底壁と側壁間のコーナー部の全周に亘って、前述の実施の形態１で示したような平坦な斜面１１ｃ（給水時支持部）を形成したものである。
【００１９】
本実施の形態の復水用タンクにおいて、タンク容器５Ｂが立方体の場合、座面となる平坦な斜面１１ｃは全周に均一に設ければよい。しかし、タンク容器５Ｂが直方体の場合は、傾斜姿勢で規定水量を得るために短辺側の斜面は長辺側の斜面よりも底面１１ａにかけて大きくとる必要がある。いずれにせよ、平坦な斜面１１ｃを全周に設けることで、傾斜させる場所（座面）を選ぶ必要がなくなる。このため、簡単に誤差なく正確に所定水量とすることができ、使い勝手がさらに向上し、延いてはこの復水用タンクを用いた蒸気レス炊飯器の使い勝手も向上し、炊飯時に発生する蒸気を効率よく冷却して復水させることができる。
【００２０】
実施の形態３．
図１０は本発明の実施の形態３に係る復水用タンクを示す斜視図、図１１はその給水セット状態を示す側面図であり、各図中、前述の実施の形態１のものに相当する部分には同一符号を付してある。なお、炊飯器本体や蓋体や蒸気導管およびタンク蓋等の構成は前述の実施の形態１のものと同一構成となっているため説明を省略する。
【００２１】
本実施の形態の復水用タンクは、給水時支持部を、タンク容器５Ｃの側壁外面の所定高さ位置における周方向複数箇所（ここでは一側壁の２箇所）に設けた凸状リブ１２，１２と、これら凸状リブ１２，１２が設けられている側壁の下辺とで構成し、給水時（所定角度傾斜時）には、凸状リブ１２，１２と側壁の下辺が支持脚として機能するようにしたものである。
【００２２】
このように、本実施の形態の復水用タンクは、タンク容器５Ｃを垂直姿勢で支持する座面となる底面１１ａ以外に、給水時にタンク容器５Ｃを所定角度傾斜状態で安定させる支持脚として機能する凸状リブ１２，１２を一側壁に設けている。したがって、水の計量は、まずタンク容器５Ｃを垂直姿勢にして水をほぼ満水にし、次いで図１１のように凸状リブ１２，１２が側壁の下辺と共に支持脚として機能するまで、タンク容器５Ｃを傾けていき、余分な水を流しのシンク（図示せず）内に流す。この結果、タンク容器５Ｃ内の水は、タンク容器５Ｃの上縁の最も低い位置になるまで流出する。その後、タンク容器５Ｃを起こせば、水位が上限水位目盛８ａと下限水位目盛８ｂとの間にきて規定水量となり、規定水量となったことを水位目盛８にて視認することができる。このため、簡単に誤差なく正確に規定水量とすることができ、使い勝手が向上し、延いてはこの復水用タンクを用いた蒸気レス炊飯器の使い勝手も向上し、炊飯時に発生する蒸気を効率よく冷却して復水させることができる。
【００２３】
なお、ここではタンク容器５Ｃの一側壁の２箇所に凸状リブ１２，１２を設けたものを例に挙げて説明したが、これに限るものでなく、この凸状リブ１２は、タンク容器５Ｃの一側壁の長手方向中間部の１箇所にのみ設けても、またタンク容器５Ｃの一側壁の長手方向の３箇所以上に設けてもよく、さらにはタンク容器５Ｃの側壁外面の周方向複数箇所に設けてもよいことは言うまでもなく、特に周方向複数箇所に設けた場合には、傾斜させる場所（座面）を選ぶ必要がなくなり、使い勝手がさらに向上する。
【００２４】
実施の形態４．
図１２は本発明の実施の形態４に係る復水用タンクを示す斜視図であり、図中、前述の実施の形態１のものに相当する部分には同一符号を付してある。なお、炊飯器本体や蓋体や蒸気導管およびタンク蓋等の構成は前述の実施の形態１のものと同一構成となっているため説明を省略する。
【００２５】
本実施の形態の復水用タンクは、給水時支持部を、タンク本体部３０すなわちタンク容器５に着脱自在に取付けられるタンクカバー６Ａの両側面の底辺の一角にそれぞれ形成した傾斜部（一方の側面の傾斜部のみ示す）１３から構成している。そして、タンク容器５にタンクカバー６Ａを取り付けた状態で、タンクカバー６Ａごとタンク容器５を傾斜させた給水時には、傾斜部１３が支持脚として機能し、この傾斜姿勢のまま満水状態にすることで、タンク容器５内の水が規定水量となるように構成されている。
【００２６】
したがって、本実施の形態の復水用タンクにおいても、簡単に誤差なく正確に規定水量とすることができ、使い勝手が向上し、延いてはこの復水用タンクを用いた蒸気レス炊飯器の使い勝手も向上し、炊飯時に発生する蒸気を効率よく冷却して復水させることができる。
【００２７】
実施の形態５．
図１３は本発明の実施の形態５に係る復水用タンクを示す側面図、図１４はその給水セット状態を示す側面図であり、各図中、前述の実施の形態１のものに相当する部分には同一符号を付してある。なお、炊飯器本体や蓋体や蒸気導管およびタンク蓋等の構成は前述の実施の形態１のものと同一構成となっているため説明を省略する。
【００２８】
本実施の形態の復水用タンクは、給水時支持部を、タンク容器５Ｄの底壁と側壁間のコーナー部に凹陥させて形成した段差部１４Ａの両側エッジ１４ａ，１４ｂで構成し、給水時（所定角度傾斜時）には、両側エッジ１４ａ，１４ｂが支持脚として機能するようにしたものである。
【００２９】
このように、本実施の形態の復水用タンクは、タンク容器５Ｄを垂直姿勢で支持する座面となる底面１１ａ以外に、給水時にタンク容器５Ｄを所定角度傾斜状態で安定させる支持脚として機能する段差部１４Ａの両側エッジ１４ａ，１４ｂを設けている。したがって、水の計量は、まずタンク容器５Ｄを垂直姿勢にして水をほぼ満水にし、次いで図１４のように段差部１４Ａの両側エッジ１４ａ，１４ｂが支持脚として機能するまで、タンク容器５Ｄを傾けていき、余分な水を流しのシンク（図示せず）内に流す。この結果、タンク容器５Ｄ内の水は、タンク容器５Ｄの上縁の最も低い位置になるまで流出する。その後、タンク容器５Ｄを起こせば、水位が図示しない上限水位目盛と下限水位目盛との間にきて規定水量となり、規定水量となったことを水位目盛にて視認することができる。このため、簡単に誤差なく正確に規定水量とすることができ、使い勝手が向上し、延いてはこの復水用タンクを用いた蒸気レス炊飯器の使い勝手も向上し、炊飯時に発生する蒸気を効率よく冷却して復水させることができる。
【００３０】
実施の形態６．
図１５は本発明の実施の形態６に係る復水用タンクを示す側面図であり、図中、前述の実施の形態１及び５のものに相当する部分には同一符号を付してある。なお、炊飯器本体や蓋体や蒸気導管およびタンク蓋等の構成は前述の実施の形態１のものと同一構成となっているため説明を省略する。
【００３１】
本実施の形態の復水用タンクは、タンク容器５Ｅの底壁と側壁間のコーナー部の全周に亘って、前述の実施の形態５で示したような段差部（給水時支持部）１４Ｂを形成したものである。
【００３２】
本実施の形態の復水用タンクにおいて、タンク容器５Ｅが立方体の場合、段差部１４Ｂを形成する凹陥部を全周に均一に設ければよい。しかし、タンク容器５Ｂが直方体の場合は、傾斜姿勢で規定水量を得るために短辺側の凹陥部は長辺側の凹陥部よりも底面１１ａにかけて大きくとる必要がある。いずれにせよ、段差部１４Ｂを全周に設けることで、傾斜させる場所（両側エッジ１４ａ，１４ｂからなる支持脚）を選ぶ必要がなくなる。このため、簡単に誤差なく正確に所定水量とすることができ、使い勝手がさらに向上し、延いてはこの復水用タンクを用いた蒸気レス炊飯器の使い勝手も向上し、炊飯時に発生する蒸気を効率よく冷却して復水させることができる。
【産業上の利用可能性】
【００３３】
本発明は、蒸気を出したくない他の調理器への適用が可能である。
【符号の説明】
【００３４】
１  炊飯器本体、２  内鍋、３  蒸気通路のカートリッジ、４  復水用タンク、５，５Ａ〜５Ｅ  タンク容器、６，６Ａ  タンクカバー、７  タンク蓋、８  水位目盛り、８ａ  上限水位目盛、８ｂ  下限水位目盛、９  水、１０  蒸気、１１ｂ，１１ｃ  平坦な斜面（給水時支持部）、１２  凸状リブ（給水時支持部）、１３  傾斜部、１４Ａ，１４Ｂ  段差部、１４ａ，１４ｂ  段差部の両側エッジ（給水時支持部）、３０  タンク本体部。
【図１】
0005441649.tif 000002
【図２】
0005441649.tif 000003
【図３】
0005441649.tif 000004
【図４】
0005441649.tif 000005
【図５】
0005441649.tif 000006
【図６】
0005441649.tif 000007
【図７】
0005441649.tif 000008
【図８】
0005441649.tif 000009
【図９】
0005441649.tif 000010
【図１０】
0005441649.tif 000011
【図１１】
0005441649.tif 000012
【図１２】
0005441649.tif 000013
【図１３】
0005441649.tif 000014
【図１４】
0005441649.tif 000015
【図１５】
0005441649.tif 000016